(57)【要約】【課題】詐欺電話をより軽減する。【解決手段】通信制御装置は、発信側端末からの着信信号を受信した交換機から送信される信号から、発信側番号を取得する発信側番号取得部と、発信側番号取得部が取得した発信側番号が詐欺疑惑の番号である詐欺疑惑番号であるか否かを判定する詐欺疑惑番号判定部と、詐欺疑惑番号判定部により発信側番号が詐欺疑惑番号であると判定された場合に、所定の着信側信号を着信側端末に送信する着信側通信制御部と、詐欺疑惑番号判定部により発信側番号が詐欺疑惑番号であると判定された場合に、所定の発信側信号を前記発信側端末に送信する発信側通信制御部と、を備える。【選択図】図２
2015213222.tif 000002
【特許請求の範囲】
【請求項１】
発信側端末からの着信信号を受信した交換機から送信される信号から、発信側番号を取得する発信側番号取得部と、
前記発信側番号取得部が取得した前記発信側番号が詐欺疑惑の番号である詐欺疑惑番号であるか否かを判定する詐欺疑惑番号判定部と、
前記詐欺疑惑番号判定部により前記発信側番号が前記詐欺疑惑番号であると判定された場合に、所定の着信側信号を着信側端末に送信する着信側通信制御部と、
前記詐欺疑惑番号判定部により前記発信側番号が前記詐欺疑惑番号であると判定された場合に、所定の発信側信号を前記発信側端末に送信する発信側通信制御部と、
を備える通信制御装置。
【請求項２】
前記着信側端末が呼接続を許容する番号のリストであるホワイトリストを記憶するホワイトリスト記憶部と、
前記着信側端末が呼接続を禁止する番号のリストであるブラックリストを記憶するブラックリスト記憶部と、
所定の危険番号のリストである危険番号リストを記憶する危険番号リスト記憶部と、
を更に備え、
前記詐欺疑惑番号判定部は、前記ホワイトリスト記憶部に記憶された前記ホワイトリスト、前記ブラックリスト記憶部に記憶された前記ブラックリスト、または前記危険番号リスト記憶部に記憶された前記危険番号リストにおける番号と前記発信側番号との比較に基づいて、前記発信側番号が前記詐欺疑惑番号であるか否かを判定する、
請求項１記載の通信制御装置。
【請求項３】
前記ブラックリスト記憶部に記憶された前記ブラックリストおよび前記ホワイトリスト記憶部に記憶された前記ホワイトリストから、所定の基準に基づいて前記危険番号を抽出し、前記危険番号を前記危険番号リストに含めて前記危険番号リスト記憶部に記憶させる危険番号リスト生成部、
を更に備える請求項２記載の通信制御装置。
【請求項４】
複数の着信側端末について、各着信側端末の通話履歴を表す通話履歴リストを記憶する通話履歴リスト記憶部と、
前記通話履歴リスト記憶部に記憶された前記通話履歴リストから、所定の基準に基づいて前記危険番号を抽出し、前記危険番号を前記危険番号リストに含めて前記危険番号リスト記憶部に記憶させる危険番号リスト生成部と、
を更に備える請求項２記載の通信制御装置。
【請求項５】
前記着信側通信制御部は、前記着信側端末が呼接続する前に前記着信側信号を前記着信側端末に送信する、
請求項１から請求項４いずれか一項記載の通信制御装置。
【請求項６】
前記着信側通信制御部は、前記着信側端末が呼接続中に前記着信側信号を前記着信側端末に送信する、
請求項１から請求項４いずれか一項記載の通信制御装置。
【請求項７】
前記発信側通信制御部は、前記発信側端末が呼接続する前に前記発信側信号を前記発信側端末に送信する、
請求項１から請求項６いずれか一項記載の通信制御装置。
【請求項８】
前記発信側通信制御部は、前記発信側端末が呼接続中に前記発信側信号を前記発信側端末に送信する、
請求項１から請求項６いずれか一項記載の通信制御装置。
【請求項９】
コンピュータを、
発信側端末からの着信信号を受信した交換機から送信される信号から、発信側番号を取得する発信側番号取得手段、
前記発信側番号取得手段が取得した前記発信側番号と所定の番号とを比較して、前記発信側番号が詐欺疑惑の番号である詐欺疑惑番号であるか否かを判定する詐欺疑惑番号判定手段、
前記詐欺疑惑番号判定手段により前記発信側番号が前記詐欺疑惑番号であると判定された場合に、所定の着信側信号を着信側端末に送信する着信側通信制御手段、
前記詐欺疑惑番号判定手段により前記発信側番号が前記詐欺疑惑番号であると判定された場合に、所定の発信側信号を前記発信側端末に送信する発信側通信制御手段、
として機能させるための通信制御プログラム。
【発明の詳細な説明】
【技術分野】
【０００１】
本発明は、通信制御装置および通信制御プログラムに関する。
【背景技術】
【０００２】
従来の悪質電話防止の技術として、発信された呼に含まれる識別子がブラックリストまたはグレーリストに含まれている場合に、呼接続の制御を行って、着信端末へ音声ガイダンスやショートメッセージサービス（ＳＭＳ）による警告メッセージを送信する悪質電話防止システムが知られている（例えば、特許文献１参照）。
【先行技術文献】
【特許文献】
【０００３】
【特許文献１】特開２０１３−５２０５号公報
【発明の概要】
【発明が解決しようとする課題】
【０００４】
しかしながら、着信端末に対してのみ警告を行う悪質電話防止システムでは、詐欺電話等の悪質電話の抑止を十分に行うことができなかった。
そこで、本発明は、上記事情に鑑みてなされたものであり、詐欺電話をより軽減することができる、通信制御装置および通信制御プログラムを提供することを目的とする。
【課題を解決するための手段】
【０００５】
［１］上記の課題を解決するため、本発明の一態様である通信制御装置は、発信側端末からの着信信号を受信した交換機から送信される信号から、発信側番号を取得する発信側番号取得部と、前記発信側番号取得部が取得した前記発信側番号が詐欺疑惑の番号である詐欺疑惑番号であるか否かを判定する詐欺疑惑番号判定部と、前記詐欺疑惑番号判定部により前記発信側番号が前記詐欺疑惑番号であると判定された場合に、所定の着信側信号を着信側端末に送信する着信側通信制御部と、前記詐欺疑惑番号判定部により前記発信側番号が前記詐欺疑惑番号であると判定された場合に、所定の発信側信号を前記発信側端末に送信する発信側通信制御部と、を備える。
【０００６】
［２］上記［１］記載の通信制御装置において、前記着信側端末が呼接続を許容する番号のリストであるホワイトリストを記憶するホワイトリスト記憶部と、前記着信側端末が呼接続を禁止する番号のリストであるブラックリストを記憶するブラックリスト記憶部と、所定の危険番号のリストである危険番号リストを記憶する危険番号リスト記憶部と、を更に備え、前記詐欺疑惑番号判定部は、前記ホワイトリスト記憶部に記憶された前記ホワイトリスト、前記ブラックリスト記憶部に記憶された前記ブラックリスト、または前記危険番号リスト記憶部に記憶された前記危険番号リストにおける番号と前記発信側番号との比較に基づいて、前記発信側番号が前記詐欺疑惑番号であるか否かを判定する。
［３］上記［２］記載の通信制御装置において、前記ブラックリスト記憶部に記憶された前記ブラックリストおよび前記ホワイトリスト記憶部に記憶された前記ホワイトリストから、所定の基準に基づいて前記危険番号を抽出し、前記危険番号を前記危険番号リストに含めて前記危険番号リスト記憶部に記憶させる危険番号リスト生成部、を更に備える。
［４］上記［２］記載の通信制御装置において、複数の着信側端末について、各着信側端末の通話履歴を表す通話履歴リストを記憶する通話履歴リスト記憶部と、前記通話履歴リスト記憶部に記憶された前記通話履歴リストから、所定の基準に基づいて前記危険番号を抽出し、前記危険番号を前記危険番号リストに含めて前記危険番号リスト記憶部に記憶させる危険番号リスト生成部と、を更に備える。
［５］上記［１］から上記［４］いずれか一項記載の通信制御装置において、前記着信側通信制御部は、前記着信側端末が呼接続する前に前記着信側信号を前記着信側端末に送信する。
［６］上記［１］から上記［４］いずれか一項記載の通信制御装置において、前記着信側通信制御部は、前記着信側端末が呼接続中に前記着信側信号を前記着信側端末に送信する。
［７］上記［１］から上記［６］いずれか一項記載の通信制御装置において、前記発信側通信制御部は、前記発信側端末が呼接続する前に前記発信側信号を前記発信側端末に送信する。
［８］上記［１］から上記［６］いずれか一項記載の通信制御装置において、前記発信側通信制御部は、前記発信側端末が呼接続中に前記発信側信号を前記発信側端末に送信する。
【０００７】
［９］上記の課題を解決するため、本発明の一態様である通信制御プログラムは、コンピュータを、発信側端末からの着信信号を受信した交換機から送信される信号から、発信側番号を取得する発信側番号取得手段、前記発信側番号取得手段が取得した前記発信側番号と所定の番号とを比較して、前記発信側番号が詐欺疑惑の番号である詐欺疑惑番号であるか否かを判定する詐欺疑惑番号判定手段、前記詐欺疑惑番号判定手段により前記発信側番号が前記詐欺疑惑番号であると判定された場合に、所定の着信側信号を着信側端末に送信する着信側通信制御手段、前記詐欺疑惑番号判定手段により前記発信側番号が前記詐欺疑惑番号であると判定された場合に、所定の発信側信号を前記発信側端末に送信する発信側通信制御手段、として機能させる。
【発明の効果】
【０００８】
本発明によれば、詐欺電話をより軽減することができる。
【図面の簡単な説明】
【０００９】
【図１】本発明の第１実施形態である通信制御装置を適用した通信システムの全体構成および処理の流れの例を示す概念図である。
【図２】第１実施形態である通信制御装置の機能構成の例を示すブロック図である。
【図３】加入者ホワイトリスト記憶部に記憶される加入者ホワイトリストのデータ構成の例を示す図である。
【図４】公共番号リスト記憶部に記憶される公共番号リストのデータ構成の例を示す図である。
【図５】加入者ブラックリスト記憶部に記憶される加入者ブラックリストのデータ構成の例を示す図である。
【図６】要注意番号リスト記憶部に記憶される要注意番号リストのデータ構成の例を示す図である。
【図７】疑惑番号リスト記憶部に記憶される疑惑番号リストのデータ構成の例を示す図である。
【図８】通話履歴リスト記憶部に記憶される通話履歴リストのデータ構成の例を示す図である。
【図９】危険番号リスト記憶部に記憶される危険番号リストのデータ構成の例を示す図である。
【図１０】詐欺疑惑番号判定部の処理の手順を示したフローチャートの例である。
【図１１】本発明の第２実施形態である通信制御装置を適用した通信システムの全体構成および処理の流れの例を示す概念図である。
【図１２】本発明の第３実施形態である通信制御装置を適用した通信システムの全体構成および処理の流れの例を示す概念図である。
【発明を実施するための形態】
【００１０】
以下、本発明を実施するための形態について、図面を参照して詳細に説明する。
［第１の実施形態］
図１は、本発明の第１実施形態である通信制御装置を適用した通信システムの全体構成および処理の流れの例を示す概念図である。図１は、振込め詐欺等の詐欺電話（悪質電話）をかける悪意者が有する発信側端末１０が、被詐欺者（加入者）が有する着信側端末４０に対して発呼した場合の例である。発信側端末１０が発呼すると、例えば、発信側網の発信側交換機２０、着信側網の着信側交換機３０、および通信制御装置５０を信号が順次経由されて着信側端末４０に着信する。
【００１１】
通信制御装置５０は、詐欺疑惑番号判定装置５１と、判定情報記憶装置５２とを備えるサービス提供装置である。例えば、通信制御装置５０は、電話網内に設置される。詐欺疑惑番号判定装置５１は、着信側交換機３０から送信される信号から発信側番号（発信側電話番号）を取得する。そして、詐欺疑惑番号判定装置５１は、発信側番号を用いて判定情報記憶装置５２を検索することにより、発信側番号が詐欺疑惑の番号である詐欺疑惑番号であるか否かを判定する。判定情報記憶装置５２は、判定情報を格納する。この判定情報は、情報提供者によって登録される。判定情報の具体例については、後述する。
【００１２】
詐欺疑惑番号判定装置５１は、発信側番号が詐欺疑惑番号であると判定した場合、着信側端末４０が呼接続する前に、着信側端末４０に通話前の注意喚起を示す着信側信号を送信する。また、詐欺疑惑番号判定装置５１は、発信側番号が詐欺疑惑番号であると判定した場合、発信側端末１０が呼接続する前に、発信側端末１０に通話前の警告を示す発信側信号を送信する。
【００１３】
また、詐欺疑惑番号判定装置５１は、発信側番号が詐欺疑惑番号であると判定した場合、例えば、着信時刻を示す情報と発信側番号と着信側番号とを含む判定結果情報を、監視端末６０やファクシミリ装置７０に送信する。監視端末６０やファクシミリ装置７０が判定結果情報を受信することにより、監視端末６０やファクシミリ装置７０のユーザである監視者は、詐欺疑惑の電話が着信側端末４０にかかっていることを認識することができる。ここで、監視者は、例えば、警察、自治体、シルバー人材、ＮＧＯ、自治会、後見人、ボランティア、家族、銀行、企業等である。これにより、監視者は、詐欺疑惑番号の着信があった加入者に注意喚起の連絡をしたり、駆けつけたりすることが可能となる。
【００１４】
また、詐欺疑惑番号であると判定された発信側番号を着信した着信側端末４０がオフフックになって通話した後オンフックになってから、詐欺疑惑番号判定装置５１は、着信側端末４０に通話後の注意喚起を示す着信側信号を送信する。また、判定結果情報を得た監視者による不図示の通信手段によって、着信側端末４０または着信側端末４０の加入者自身に注意喚起を行う。また、直前の通話内容により詐欺電話または詐欺疑惑電話であったと着信側端末４０の話者が認識した場合、着信側端末４０は、直前の通話に対応する発信側番号を含めた不審電話報告を詐欺疑惑番号判定装置５１に送信する。そして、不審電話番号報告を受信した詐欺疑惑番号判定装置５１は、その不審電話報告に含まれた発信側番号を疑惑番号として判定情報記憶装置５２に登録する。
【００１５】
図２は、通信制御装置５０の機能構成の例を示すブロック図である。図２において、図１と同一の構成については同一の符号を付す。図２に示すように、例えば、判定情報記憶装置５２は、ホワイトリスト記憶部５３と、ブラックリスト記憶部５４と、グレーリスト記憶部５５と、通話履歴リスト記憶部５６と、危険番号リスト記憶部５７とを備える。
【００１６】
ホワイトリスト記憶部５３は、着信側端末４０が呼接続を許容する番号のリストであるホワイトリストを記憶する。例えば、ホワイトリスト記憶部５３は、加入者ホワイトリスト記憶部５３１と、公共番号リスト記憶部５３２とを有する。
加入者ホワイトリスト記憶部５３１は、加入者ごとの接続許容発番号のリストである加入者ホワイトリストを記憶する。例えば、加入者ホワイトリストのレコードは、加入者が特定の電話サービスを利用することにより、またはオペレータの操作により、加入者ホワイトリスト記憶部５３１に登録される。
公共番号リスト記憶部５３２は、加入者全員に共通の接続許容発番号のリストである公共番号リストを記憶する。例えば、公共番号リストのレコードは、事前に許可された第三者が特定の電話サービスを利用することにより、またはオペレータの操作により、公共番号リスト記憶部５３２に登録される。
【００１７】
ブラックリスト記憶部５４は、着信側端末４０が呼接続を許容しない（禁止する）番号のリストであるブラックリストを記憶する。例えば、ブラックリスト記憶部５４は、加入者ブラックリスト記憶部５４１を有する。加入者ブラックリスト記憶部５４１は、加入者ごとの接続禁止発番号のリストである加入者ブラックリストを記憶する。例えば、加入者ブラックリストのレコードは、加入者が特定の電話サービスを利用することにより、またはオペレータの操作により、加入者ブラックリスト記憶部５４１に登録される。
【００１８】
グレーリスト記憶部５５は、呼接続に注意を要する番号のリストであるグレーリストを記憶する。例えば、グレーリスト記憶部５５は、要注意番号リスト記憶部５５１と、疑惑番号リスト記憶部５５２とを有する。
要注意番号リスト記憶部５５１は、加入者全員に共通の、呼接続に注意を要する番号のリストである要注意番号リストを記憶する。例えば、要注意番号リストのレコードは、事前に許可された監視者が特定の電話サービスを利用することにより、またはオペレータの操作により、要注意番号リスト記憶部５５１に登録される。
疑惑番号リスト記憶部５５２は、加入者ごとの、呼接続に注意を要する番号のリストである疑惑番号リストを記憶する。例えば、疑惑番頭リストのレコードは、加入者が不審な電話を受けた際、特定の電話サービスを利用することにより、またはオペレータの操作により、疑惑番号リスト記憶部５５２に登録される。
【００１９】
通話履歴リスト記憶部５６は、加入者ごとの通話履歴のリストである通話履歴リストを記憶する。
危険番号リスト記憶部５７は、加入者全員に共通の、危険番号のリストである危険番号リストを記憶する。
【００２０】
例えば、ホワイトリスト記憶部５３、ブラックリスト記憶部５４、グレーリスト記憶部５５、通話履歴リスト記憶部５６、および危険番号リスト記憶部５７は、磁気ハードディスク装置、半導体記憶装置等により実現される。
【００２１】
また、図２に示すように、詐欺疑惑番号判定装置５１は、発信側番号取得部５１１と、詐欺疑惑番号判定部５１２と、着信側通信制御部５１３と、発信側通信制御部５１４と、危険番号リスト生成部５１５とを備える。
【００２２】
発信側番号取得部５１１は、発信側端末１０からの着信信号を受信した着信側交換機３０から送信される信号から、発信側番号を取得する。
【００２３】
詐欺疑惑番号判定部５１２は、発信側番号取得部５１１が取得した発信側番号と、判定情報記憶装置５２に格納された判定情報（所定の番号）とを比較して、発信側番号が詐欺疑惑番号であるか否かを判定する。具体的に、例えば、詐欺疑惑番号判定部５１２は、ホワイトリスト記憶部５３に記憶されたホワイトリスト、ブラックリスト記憶部５４に記憶されたブラックリスト、または危険番号リスト記憶部５７に記憶された危険番号リストにおける番号と発信側番号との比較に基づいて、発信側番号が詐欺疑惑番号であるか否かを判定する。詐欺疑惑番号判定部５１２による詐欺疑惑番号判定処理については後述する。
【００２４】
着信側通信制御部５１３は、詐欺疑惑番号判定部５１２により発信側番号が詐欺疑惑番号であると判定された場合に、所定の着信側信号を着信側端末４０に送信する。
発信側通信制御部５１４は、詐欺疑惑番号判定部５１２により発信側番号が詐欺疑惑番号であると判定された場合に、所定の発信側信号を発信側端末１０に送信する。着信側通信制御部５１３および発信側通信制御部５１４による詐欺疑惑対応処理については後述する。
【００２５】
危険番号リスト生成部５１５は、ブラックリスト記憶部５４に記憶されたブラックリストおよびホワイトリスト記憶部５３に記憶されたホワイトリストから、所定の基準に基づいて危険番号を抽出し、危険番号を危険番号リストに含めて危険番号リスト記憶部５７に記憶させる。
【００２６】
なお、危険番号リスト生成部５１５は、通話履歴リスト記憶部５６に記憶された通話履歴リストから、所定の基準に基づいて危険番号を抽出し、危険番号を危険番号リストに含めて危険番号リスト記憶部５７に記憶させてもよい。また、危険番号リスト生成部５１５は、グレーリスト記憶部５５に記憶されたグレーリストから、所定の基準に基づいて危険番号を抽出し、危険番号を危険番号リストに含めて危険番号リスト記憶部５７に記憶させてもよい。危険番号リスト生成部５１５による危険番号リスト生成処理については後述する。
【００２７】
次に、判定情報記憶装置５２の各種記憶部に記憶されるデータのデータ構成の例を説明する。
図３は、加入者ホワイトリスト記憶部５３１に記憶される加入者ホワイトリストのデータ構成の例を示す図である。図３に示すように、例えば、加入者ホワイトリストは、加入者の番号（電話番号）と、加入者が呼接続を許容する接続許容発番号とを関係付けて含む。
【００２８】
図４は、公共番号リスト記憶部５３２に記憶される公共番号リストのデータ構成の例を示す図である。図４に示すように、例えば、公共番号リストは、公共的な番号と、登録日時と、登録者と、登録名称と、登録理由との項目を関係付けて含む。公共的な番号とは、公共的に利用される番号主体の番号であり、例えば、市役所や学校等の電話番号である。登録日時は、当該番号が公共番号リスト記憶部５３２に登録されたときの日時を表す情報である。登録者は、当該番号を登録した者の氏名または名称を表す情報である。登録名称は、当該番号に対応する名称（例えば、○○市役所等）である。登録理由は、当該番号を公共番号リストに登録した理由を示す情報である。
【００２９】
例えば、公共番号リストは、一般者または特定者に対して公開される情報である。公共番号リストに、登録者および登録理由を含めることにより、例えば、悪質な登録を抑止したり誤登録を防止したりすることができる。また、登録日時が古すぎるレコードについて見直しを図ることも行われる。
【００３０】
図５は、加入者ブラックリスト記憶部５４１に記憶される加入者ブラックリストのデータ構成の例を示す図である。図５に示すように、例えば、加入者ブラックリストは、加入者の番号と、加入者が呼接続を禁止する接続禁止発番号と、切断方法とを関係付けて含む。切断方法は、切断または転送の区別、切断する際のトーキ（音声ガイダンス）の種別を含む。
【００３１】
図６は、要注意番号リスト記憶部５５１に記憶される要注意番号リストのデータ構成の例を示す図である。図６に示すように、例えば、要注意番号リストは、呼接続に注意を要する番号と、登録日時と、登録者と、登録理由との項目を関係付けて含む。呼接続に注意を要する番号は、言い換えると、ブラックリストに格納される候補となる番号である。登録日時は、当該番号が要注意番号リスト記憶部５５１に登録されたときの日時を表す情報である。登録者は、当該番号を登録した者の氏名または名称を表す情報である。登録理由は、当該番号を要注意番号リストに登録した理由を示す情報である。
【００３２】
例えば、要注意番号リストは、監視者に対して公開される情報である。要注意番号リストに、登録者および登録理由を含めることにより、例えば、悪質な登録を抑止したり誤登録を防止したりすることができる。また、登録日時が古すぎるレコードについて見直しを図ることも行われる。
【００３３】
図７は、疑惑番号リスト記憶部５５２に記憶される疑惑番号リストのデータ構成の例を示す図である。図７に示すように、例えば、疑惑番号リストは、加入者が詐欺疑惑であるとの心象を得た場合の番号と、登録日時と、登録者と、登録理由との項目を関係付けて含む。番号は、加入者が直前の通話における発番号が詐欺疑惑であるとの心証を得た場合の番号である。言い換えると、この番号は、ブラックリストに格納される候補となる番号である。登録日時は、当該番号が疑惑番号リスト記憶部５５２に登録されたときの日時を表す情報である。登録者は、当該番号を登録した者の氏名または名称を表す情報である。登録理由は、当該番号を疑惑番号リストに登録した理由を示す情報である。
【００３４】
例えば、疑惑番号リストは、監視者に対して公開される情報である。疑惑番号リストに、登録者および登録理由を含めることにより、例えば、悪質な登録を抑止したり誤登録を防止したりすることができる。また、登録日時が古すぎるレコードについて見直しを図ることも行われる。
【００３５】
図８は、通話履歴リスト記憶部５６に記憶される通話履歴リストのデータ構成の例を示す図である。図８に示すように、例えば、通話履歴リストは、日時と、発番号と、着番号と、接続結果との項目を関係付けて含む。日時は、通話が行われたときの日時である。具体的に、例えば、日時は、通話開始日時および通話終了日時を含む。発番号は、呼接続の発信側の番号である。着番号は、呼接続の着信側の番号である。接続結果は、例えば、呼接続が行われたか否か、転送されたか等の接続の結果を示す情報を含む。
【００３６】
図９は、危険番号リスト記憶部５７に記憶される危険番号リストのデータ構成の例を示す図である。図９に示すように、例えば、危険番号リストは、危険番号と、危険指数との項目を関係付けて含む。危険指数は、危険番号の信頼度を表す指標値である。例えば、危険指数は、信頼度が大きい程大きな数値である。
【００３７】
次に、通信制御装置５０の動作について説明する。
＜詐欺疑惑番号判定処理＞
図１０は、詐欺疑惑番号判定部５１２の処理の手順を示したフローチャートの例である。発信側番号取得部５１１が発信側番号を取得すると、詐欺疑惑番号判定部５１２は、本フローチャートの処理を実行する。
ステップＳ１において、詐欺疑惑番号判定部５１２は、加入者ホワイトリスト記憶部５３１に記憶された加入者ホワイトリストから発信側番号を検索する。そして、加入者ホワイトリストから発信側番号が検索された場合（ステップＳ１：ＹＥＳ）はステップＳ２の処理へ移行し、加入者ホワイトリストから発信側番号が検索されなかった場合（ステップＳ１：ＮＯ）はステップＳ３の処理へ移行する。
【００３８】
ステップＳ２において、着信側通信制御部５１３は、着信側端末４０に対して呼接続の制御を行う。
【００３９】
一方、ステップＳ３において、詐欺疑惑番号判定部５１２は、加入者ブラックリスト記憶部５４１に記憶された加入者ブラックリストから発信側番号を検索する。そして、加入者ブラックリストから発信側番号が検索された場合（ステップＳ３：ＹＥＳ）はステップＳ４の処理へ移行し、加入者ブラックリストから発信側番号が検索されなかった場合（ステップＳ３：ＮＯ）はステップＳ５の処理へ移行する。
【００４０】
ステップＳ４において、着信側通信制御部５１３および発信側通信制御部５１４は、詐欺疑惑対応処理を行う。詐欺疑惑対応処理の詳細については後述する。
【００４１】
ステップＳ５において、詐欺疑惑番号判定部５１２は、公共番号リスト記憶部５３２に記憶された公共番号リストから発信側番号を検索する。そして、公共番号リストから発信側番号が検索された場合（ステップＳ５：ＹＥＳ）はステップＳ２の処理へ移行し、公共番号リストから発信側番号が検索されなかった場合（ステップＳ５：ＮＯ）はステップＳ６の処理へ移行する。
【００４２】
ステップＳ６において、詐欺疑惑番号判定部５１２は、危険番号リスト記憶部５７に記憶された危険番号リストから、危険指数が所定の規定値以上である危険番号を検索する。そして、危険番号リストから危険番号が検索された場合（ステップＳ６：ＹＥＳ）はステップＳ４の処理へ移行し、危険番号リストから危険番号が検索されなかった場合（ステップＳ６：ＮＯ）はステップＳ２の処理へ移行する。
【００４３】
＜詐欺疑惑対応処理＞
着信側通信制御部５１３および発信側通信制御部５１４は、詐欺疑惑番号判定部５１２の判定結果に応じて詐欺疑惑対応処理を実行する。
【００４４】
例えば、着信側通信制御部５１３は、着信側端末４０が呼接続する前に着信側信号を着信側端末４０に送信する。この場合、着信側信号は、例えば、通話前トーキの信号である。具体的に、例えば、着信側信号における通話前トーキは、以下の内容である。
「この電話はご家族からではありません。」
「この通話には注意が必要です。」
「○○（登録名称）からの電話です。」
【００４５】
なお、着信側通信制御部５１３は、着信側端末４０が呼接続中に着信側信号を着信側端末４０に送信するようにしてもよい。この場合、着信側信号は、例えば、通話中音声割り込み信号であり、具体的には、割り込みトーキまたは警告音である。また、着信側信号は、通話中に他の端末に転送させるための信号としてもよい。
【００４６】
また、着信側通信制御部５１３は、着信側端末４０が通話を完了した後（オンフックになった後）に、通話後トーキの信号を着信側信号として出力してもよい。この場合の通話後トーキは、例えば、「先ほどの通話は詐欺電話の可能性があります。」等である。
【００４７】
また、発信側通信制御部５１４は、発信側端末１０が呼接続する前に発信側信号を発信側端末１０に送信する。この場合、発信側信号は、例えば、通話前トーキの信号である。具体的に、例えば、発信側信号における通話前トーキは、「この通話は録音されています。」等である。例えば、発信側信号は、通話前トーキを発信側が切断するまで継続する信号としてもよい。また、発信側信号は、規定の回数または規定の時間だけトーキを繰り返した後、呼を切断する信号としてもよい。また、発信側信号は、通話前トーキ後に呼接続する信号としてもよい。また、発信側信号は、呼を接続させないための信号としてもよい。
【００４８】
なお、発信側通信制御部５１４は、発信側端末１０が呼接続中に着信側信号を発信側端末１０に送信するようにしてもよい。この場合、発信側信号は、例えば、通話中音声割り込み信号であり、具体的には、割り込みトーキまたは警告音である。また、発信側信号は、呼を切断させる信号としてもよい。
【００４９】
＜危険番号リスト生成処理＞
危険番号リスト生成部５１５は、加入者ブラックリスト記憶部５４１の加入者ブラックリストに所定期間に所定数以上登録されている番号を危険番号として抽出する（Ａ方式）。
【００５０】
または、危険番号リスト生成部５１５は、通話履歴リスト記憶部５６の通話履歴リストに、所定期間に所定数以上の頻度で現れる発番号を危険番号として抽出する（Ｂ方式）。
【００５１】
なお、危険番号リスト生成部５１５は、Ａ方式により抽出された番号と、Ｂ方式により抽出された番号とのうち重複する番号を危険番号としてもよい。
【００５２】
また、危険番号リスト生成部５１５は、グレーリスト記憶部５５のグレーリストに登録された番号であって、且つホワイトリスト記憶部５３のホワイトリストに所定期間または所定日時以降に所定数登録されたものでない番号を危険番号として抽出する（Ｃ方式）。これにより、危険番号リスト生成部５１５は、グレーリストの要注意番号や疑惑番号についての、誤登録、誤申告、解約後別ユーザによる使用等のノイズを除去または低減させて、危険番号を抽出することができる。
【００５３】
なお、危険番号リスト生成部５１５は、上記Ａ方式からＣ方式に限らず、例えば、公知のデータマイニング法によって、ブラックリスト、ホワイトリスト、およびグレーリストから危険番号を抽出してもよい。
【００５４】
危険番号リスト生成部５１５は、危険番号の信頼度が大きい程大きな値となる危険指数を危険番号に対応付けて、危険番号リスト記憶部５７に記憶させる。危険番号リスト生成部５１５は、定期に、または危険番号を抽出するごとに、危険番号リスト記憶部５７に記憶された危険番号リストを更新する。また、危険番号リストは、予め決められた第三者（例えば、警察、自治体等の第三者機関）の監視によって是正され、危険番号、または危険指数が適切に調整される。
【００５５】
以上、詳述したように、第１実施形態である通信制御装置５０は、発信側端末１０からの着信信号を受信した着信側交換機３０から送信される信号から、発信側番号を取得する発信側番号取得部５１１を備える。また、通信制御装置５０は、発信側番号取得部５１１が取得した発信側番号が詐欺疑惑の番号である詐欺疑惑番号であるか否かを判定する詐欺疑惑番号判定部５１２を備える。また、通信制御装置５０は、詐欺疑惑番号判定部５１２により発信側番号が詐欺疑惑番号であると判定された場合に、所定の着信側信号を着信側端末４０に送信する着信側通信制御部５１３を備える。また、通信制御部５０は、詐欺疑惑番号判定部５１２により発信側番号が詐欺疑惑番号であると判定された場合に、所定の発信側信号を発信側端末１０に送信する発信側通信制御部５１４を備える。
よって、通信制御装置５０は、着信側端末４０に所定の着信側信号を送信するだけでなく、発信側端末１０に所定の発信側信号を送信する。この構成により、着信側端末４０に対して注意喚起を行うだけでなく、発信側端末１０に対して警告を行うことができ、詐欺電話等の悪質電話の抑止効果をより高めることができる。
【００５６】
また、第１実施形態によれば、電話網内に通信制御装置５０を組み込むことにより、着信側端末４０に特別な仕組みを設けることなく、詐欺電話防止サービスを実現することができる。
【００５７】
［第２の実施形態］
第１実施形態では、詐欺疑惑番号判定装置５１は、着信側交換機３０から送信される信号から発信側番号を取得する例とした。第２実施形態は、着信側交換機が、発信側端末からの発呼を着信すると、着信したことを示す電子メールを詐欺疑惑番号判定装置に送信する例である。本実施形態において、通信制御装置は、電話網外に設けられる電話網外装置である。
【００５８】
図１１は、本発明の第２実施形態である通信制御装置を適用した通信システムの全体構成および処理の流れの例を示す概念図である。第１実施形態と同一の構成については、同一の符号を付してその説明を省略する。発信側端末１０が発呼すると、例えば、発信側網の発信側交換機２０および着信側網の着信側交換機３０ａを信号が順次経由されて着信側端末４０に着信する。
【００５９】
一方、着信側交換機３０ａは、発信側端末１０からの発呼を着信すると、着信したときの日時、発信側番号、および着信側番号の情報を含む電子メール（着信お知らせメール）を生成し、この電子メールを詐欺疑惑番号判定装置５１ａに送信する。この電子メールは、いかなる形式でもよく、例えば、ショートメッセージサービスによるＳＭＳメールであってもよい。
【００６０】
通信制御装置５０ａの詐欺疑惑番号判定装置５１ａは、第１実施形態の詐欺疑惑番号判定装置５１に対して発信側番号取得部５１１の動作が異なる。よって、ここでは、発信側番号取得部５１１についてのみ説明する。詐欺疑惑番号判定装置５１ａの発信側番号取得部５１１は、着信側交換機３０ａが送信した着信お知らせ電子メールを受信し、この着信お知らせメールから発信側番号を取得する。
【００６１】
第２実施形態によれば、電話網のＳＭＳサービスを利用して、詐欺電話防止サービスを実現することができる。
【００６２】
［第３の実施形態］
第３実施形態は、着信した着信側端末が詐欺疑惑番号判定装置に問い合わせをすることにより、この詐欺疑惑番号判定装置から注意喚起の情報を取得する例である。
【００６３】
図１２は、本発明の第３実施形態である通信制御装置を適用した通信システムの全体構成および処理の流れの例を示す概念図である。第１実施形態と同一の構成については、同一の符号を付してその説明を省略する。発信側端末１０が発呼すると、発信側網の発信側交換機２０、着信側網の着信側交換機３０、および通信制御装置５０を信号が順次経由されて着信側端末４０ａに着信する。
【００６４】
着信側端末４０ａは、着信側交換機３０からの着信信号を受信（着信）すると、着信側番号を含めた問い合わせ要求情報を通信制御装置５０ｂの詐欺疑惑番号判定装置５１ｂに送信する。そして、問い合わせ要求情報を受信した詐欺疑惑番号判定装置５１ｂでは、詐欺疑惑番号判定部５１２により発信側番号が詐欺疑惑番号であると判定された場合に、着信側通信制御部５１３が、所定の着信側信号を着信側端末４０ａに送信する。
【００６５】
なお、着信側端末４０ａは、携帯電話機やスマートフォン等の無線電話端末であってもよい。この場合、着信側端末４０ａがアプリケーションプログラムを実行することにより、第３実施形態の着信側端末側の機能を実現してもよい。
また、詐欺疑惑番号判定装置５１ｂは、着側網内にあってもよいし、着信側端末４０ａ側にあってもよい。
【００６６】
上述した各実施形態では、詐欺疑惑番号判定部５１２は、発信側番号取得部５１１が取得した発信側番号を用いて詐欺疑惑番号を判定した。これ以外にも、発信側番号取得部５１１が着信側交換機３０から送信される信号から端末種別を示す端末種別情報をも取得し、端末種別情報と発信側番号との組み合わせを用いて詐欺疑惑番号を判定してもよい。具体的に、例えば、詐欺疑惑番号判定部５１２は、端末種別情報が国際電話を示す情報である場合に、発信側番号を用いた詐欺疑惑番号判定処理を実行してもよい。
【００６７】
また、上述した実施形態である通信制御装置５０，５０ａ，５０ｂの一部の機能をコンピュータで実現するようにしてもよい。この場合、その機能を実現するための通信制御プログラムをコンピュータ読み取り可能な記録媒体に記録し、この記録媒体に記録された通信制御プログラムをコンピュータシステムに読み込ませて、このコンピュータシステムが実行することにより、当該機能を実現してもよい。なお、このコンピュータシステムとは、オペレーティングシステム（Ｏｐｅｒａｔｉｎｇ  Ｓｙｓｔｅｍ；ＯＳ）や周辺装置のハードウェアを含むものである。また、コンピュータ読み取り可能な記録媒体とは、フレキシブルディスク、光磁気ディスク、光ディスク、メモリカード等の可搬型記録媒体、コンピュータシステムに備えられる磁気ハードディスクやソリッドステートドライブ等の記憶装置のことをいう。さらに、コンピュータ読み取り可能な記録媒体とは、インターネット等のコンピュータネットワーク、および電話回線や携帯電話網を介してプログラムを送信する場合の通信回線のように、短時間の間、動的にプログラムを保持するもの、さらには、その場合のサーバ装置やクライアントとなるコンピュータシステム内部の揮発性メモリのように、一定時間プログラムを保持するものを含んでもよい。また上記の通信制御プログラムは、前述した機能の一部を実現するためのものであってもよく、さらに、前述した機能をコンピュータシステムにすでに記録されているプログラムとの組み合わせにより実現するものであってもよい。
【００６８】
以上、詳述したように、各実施形態によれば、加入者は着信側端末４０，４０ａ側から特別な操作をすることなく、悪意者からの詐欺電話等の悪質電話から守られる。また、各実施形態によれば、着信側端末４０，４０ａにかかってくる悪質電話を防止またはより低減することができる。
【００６９】
以上、本発明の実施の形態について図面を参照して詳述したが、具体的な構成はその実施形態に限られるものではなく、本発明の要旨を逸脱しない範囲の設計等も含まれる。
【符号の説明】
【００７０】
１０…発信側端末、２０…発信側交換機、３０…着信側交換機、３０ａ…着信側交換機、４０…着信側端末、４０ａ…着信側端末、５０…通信制御装置、５０ａ…通信制御装置、５０ｂ…通信制御装置、５１…詐欺疑惑番号判定装置、５１ａ…詐欺疑惑番号判定装置、５１ｂ…詐欺疑惑番号判定装置、５２…判定情報記憶装置、５３…ホワイトリスト記憶部、５４…ブラックリスト記憶部、５５…グレーリスト記憶部、５６…通話履歴リスト記憶部、５７…危険番号リスト記憶部、６０…監視端末、７０…ファクシミリ装置、５１１…発信側番号取得部、５１２…詐欺疑惑番号判定部、５１３…着信側通信制御部、５１４…発信側通信制御部、５１５…危険番号リスト生成部、５３１…加入者ホワイトリスト記憶部、５３２…公共番号リスト記憶部、５４１…加入者ブラックリスト記憶部、５５１…要注意番号リスト記憶部、５５２…疑惑番号リスト記憶部
【図１】
2015213222.tif 000003
【図２】
2015213222.tif 000004
【図３】
2015213222.tif 000005
【図４】
2015213222.tif 000006
【図５】
2015213222.tif 000007
【図６】
2015213222.tif 000008
【図７】
2015213222.tif 000009
【図８】
2015213222.tif 000010
【図９】
2015213222.tif 000011
【図１０】
2015213222.tif 000012
【図１１】
2015213222.tif 000013
【図１２】
2015213222.tif 000014